(57)【特許請求の範囲】
【請求項１】
ビニールハウス（Ａ）後方壁近傍の中央部に設けられた、送風機（１）の吸引側を下向きに地面近傍まで立ち下げ、該送風機（１）の吐出側を二股に分岐された略Ｔ字型継手（２）の下端口に接続し、該略Ｔ字型継手（２）の水平方向両端口を左右の送風管（３・３）にそれぞれ挿嵌し、前記送風機（１）を装着した前記略Ｔ字型継手（２）を、左右の前記送風管（３・３）を介して円弧状に回転自在に形設するとともに、該左右の送風管（３・３）を前記ビニールハウス（Ａ）後方壁近傍に立ち下げ、該ビニールハウス（Ａ）の長手側両下端に敷設された吐出管（４・４）に接続し、左右の該吐出管（４・４）の対向する面に、適宜な間隔に複数個の略コの字型で開閉自在な調整窓（５）が一方向に向けて設けられていることを特徴とする、ハウス栽培空調管理システム。
【発明の詳細な説明】
【技術分野】
【０００１】
本発明は、主にビニールハウス内の空気移動を促して空気の澱みとハウス内の温度や湿度のムラを低減し、夏季間ハウスの稼働延長が可能なハウス栽培用空調管理システムに関する。
【背景技術】
【０００２】
近年は気象環境の悪化や効率性の問題から、ビニールハウスの大型化や農業の工場化が顕著であり、資金力が豊富な企業の大規模農業用ハウスでは頑健な鉄骨造りでガラスを多用するなど、透過性や断熱効果にも重点を置いた本格的な建築物が多く見受けられるようになった。
これら大規模農業用ハウスの大多数では空調管理システムが完備されており、その効果による生産性の向上にもつながっている。
【０００３】
しかしながら中小・零細農家のビニールハウスでは、従前の小径パイプの骨組みに農業用ビニールフィルムを覆っただけの簡易ハウスが多く、これらは構造上からも完全な空調管理システムの構築は難しく、また高額な設備投資もネックとなり一般に普及していないのが実状である。
現在、夏季間営農の中小・零細ハウス農家では、ハウス内を数ブロックに分けてセンサーを設置し、センサーの数値を基にして手動でハウス下部の被覆フィルムを開閉し、換気調整をしているところが多い。
【０００４】
ビニールハウス内の上下の温度差を平準化する発明には、送風機とダクト管を用いた本願同一出願人による特許第６２６３６８２号公報がある。（特許文献１）
【先行技術文献】
【特許文献】
【０００５】
【特許文献１】特許第６２６３６８２号公報
【発明の概要】
【発明が解決しようとする課題】
【０００６】
特許文献１は通年営農農家の冬季間の暖房費削減を目的に成されたものであり、世界規模のグローバル化社会において、一時期に盛んだった花卉栽培通年営農農家は、低温に弱い花卉類の冬季間における暖房経費の圧迫により、廉価な外国産との価格競争の末に撤退を余儀なくされ、通年営農の花卉栽培農家が激減した経緯がある。
【０００７】
現在、中小・零細のハウス農家では夏季間だけの営農農家が圧倒的多数を占めており、高温多湿で四季が明確な地域性において、断熱や保温効果が薄く密閉状態で広大なハウス内では常に温度差層が形成され、自然対流や空気移動が起ないためにハウス内の温度は平準化せず、同一ハウス内でも時間によって部分的に温度差や湿度差が生じる要因ともなっている。
【０００８】
また、密閉状態のハウス内は無風状態であり、夏場は日照で高温になりすぎるために人手による換気調整が必要となり、多くはハウスの被覆フィルムの裾巻上げなどで対処しているが、ハウスの棟数が多い農家にとっては大きな負担になっている。
【０００９】
つまり、本来は自然の恵みである太陽熱エネルギーが、現状の夏季間ハウス営農農家にとっては過度に作用して大きな負担をかけていることになる。
また、ハウス内の空気が澱むと作物の病気に対する免疫力が低下する等の弊害も知られており、無風状態のハウスは受粉を必要とする作物には不向きであり、さらに寒冷地では本格的な冬を前にして、ハウス内に霜が派生する等の悪影響を引き起こしている。
【００１０】
限られた夏季間だけの営農では、作物にとっての好環境を整えて維持し生産性を上げることと、ハウスの営農期間を長く保持することが生産コストを下げるための必須の要件である。
本発明は以上の事象に鑑み成されたものであり、現状ビニールハウス内の空気移動を可能にする、廉価なハウス栽培空調管理システムを提供することを課題としている。
【課題を解決するための手段】
【００１１】
ビニールハウスＡ後方壁近傍の中央部に設けられた、送風機１の吸引側は下向きに地面近傍まで立ち下げら、該送風機１の吐出側は二股に分岐された略Ｔ字型継手２の下端口に接続されており、該略Ｔ字型継手２の水平方向両端口を左右の送風管３・３にそれぞれ挿嵌する。
前記送風機１を装着した前記略Ｔ字型継手２は、前記左右の送風管３・３を介して円弧状に回転自在に形設するとともに、該左右の送風管３・３を前記ビニールハウスＡの後方壁近傍に立ち下げ、該ビニールハウスＡの長手側両下端に敷設された吐出管４・４に接続する。
前記左右の吐出管４・４の対向する面に、適宜な間隔に複数個の略コの字型で開閉自在な調整窓５が一方向に向けて設けられている。
【発明の効果】
【００１２】
本発明は、夏季にはハウス下部の被覆フィルムの裾を巻き上げあげて外気を導入し、地面近傍に装置した送風機１で外気（低温空気）を吸引してハウス長手側両下端に敷設した吐出管４・４に送り込み、該吐出管４・４の対向する面に設けられた略コの字状で開閉自在な複数個の調整窓５を開け、風量調整後の空気を斜め前方に吐出してハウス内下部に冷気流（風）を形成する。
【００１３】
ハウス内の空気移動が行われることでハウス内の空気の澱みが解消され、病気に対する作物の免疫力が高まり、生産物の歩留まりを高める。
また、大気中に含まれる成分と被覆フィルムの透過性とが相俟って光合成を促すとともに、受粉が必要な作物栽培も可能になり、常に空気移動（風）が行われることで温度や湿度のムラも低減されるなど、栽培作物にとってより自然に近い環境を提供することで生産性の向上につながる。
【００１４】
秋には、日中に太陽で暖められた膨大な熱エネルギーによる高温空気が常に天井部に滞留しており、夏季には下向きで使用されている送風機１を回転させて吸引口を上方に向け、ハウス天井部付近の高温空気をハウス長手側両下端の吐出管４・４に送り込み、夏季間と同様の作用効果で空気の流れ（温風）が生じ、ハウス内下方の温度も平準化することで霜の発生を防ぐ。
【００１５】
本発明は、送風機１台で夏季間営農のビニールハウスの高温空気対策と、秋や春先には太陽光により得られた熱エネルギーを、低温対策に活用することでハウスの年間稼働期間を長く保持でき、作物への好環境を創出して歩留まりを高め、生産コスを下げることで夏季間だけ営農するハウス農家の収入増につなげるものである。
【００１６】
本発明は、ハイテク機器類を使用していないので故障も少なく、ランニングコストは送風機１台の電気使用量金のみであり、現状のビニールハウスの長所と欠点を勘案し、空気移動（冷・暖風）を促してより自然の環境に近づけ、光合成を促進させることで作物の成長を促す発明である。
【図面の簡単な説明】
【００１７】
【図１】本発明の一実施例のビニールハウス夏季における機構説明図
【図２】本発明の一実施例のビニールハウス秋春季における機構説明図
【図３】本発明の一実施例のX-X矢視図
【図４】本発明の一実施例のY部拡大図
【発明を実施するための形態】
【００１８】
ビニールハウスＡ後方壁近傍の中央部に設けられた、送風機１の吸引側は下向きに地面近傍まで立ち下げられ、該送風機１の吐出側は二股に分岐された略Ｔ字型継手２の下端口に接続されており、該略Ｔ字型継手２の水平方向両端口を左右の送風管３・３にそれぞれ挿嵌する。
前記送風機１を装着した前記略Ｔ字型継手２は、前記左右の送風管３・３を介して円弧状に回転自在に形設するとともに、該左右の送風管３・３を前記ビニールハウスＡ後方壁近傍に立ち下げ、該ビニールハウスＡの長手側両下端に敷設された吐出管４・４に接続する。
前記左右の吐出管４・４の対向する面に、適宜な間隔に複数個の略コの字型で開閉自在な調整窓５が一方向に向けて設けられている。
なお、前記吐出管４・４は、前記ビニールハウスＡの全長に比例して適宜な長さに連設できる。
【００１９】
作物の生育に光合成は絶対に欠かせない条件であり、光合成に必要なのは水（湿度）と二酸化炭素と光であり、ビニールハウスの被覆フィルムは透過性に優れているので、光合成に必要な太陽光の色素（赤・青）の吸収には支障がない。
しかしながら、光以外の水（湿度）と二酸化炭素は大気（空気）を媒体としていることから、密閉状態のビニールハウスで作物の光合成を促進するには空気の流れを創出する必要がある。
【００２０】
本発明は、ビニールハウス内に季節に応じた空気の流れ（冷気流・暖気流）を形成して光合成を促し、作物の病気に対する免疫力を高めると同時に、温度の平準化等、作物にとり好環境を創出して維持し、ビニールハウスの稼働期間を延ばして夏季間だけのハウス農家の収益を上げることにある。
【実施例】
【００２１】
本実施例の送風機１には、既存のビニールハウス等で周囲の空気撹拌用として多く使われており、また広範囲から空気を吸引してより遠くに吐出する目的で、吐出側が若干先絞り形状の送風機を採用した。  また、各管には鉄板製丸ダクト管とダクト用継手を使用し、曲管部には曲げ角度を大きく取り、管内抵抗を減少させる目的でアルミフレキ管を用いている。
【００２２】
以下に実施例について、各図を参照にして作用及び動作を説明する。
図１は、本発明の一実施例のビニールハウス夏季における機構説明図である。
ビニールハウスＡ後方壁の近傍中央部に設けられた、送風機１の吸引側は下向きに地面近傍まで立ち下げられ、送風機１の吐出口側は二股に分岐された略Ｔ字型継手２の下端口に接続されており、略Ｔ字型継手２の水平方向両端口を左右の送風管３・３にそれぞれ挿嵌する。
送風機１を装着した略Ｔ字型継手２は、左右の送風管３・３を介して円弧状に回転自在に形設されている。
【００２３】
左右の送風管３・３は立ち下げられて、ビニールハウスＡ長手側両下端に敷設された吐出管４・４に接続されており、左右の吐出管４・４の対向する面には適宜な間隔に、複数個の略コの字型で開閉自在の調整窓５が一方向に向けて設けられている。
なお、夏季間の使用に際しては、ビニールハウスＡ後方の被覆フィルムの裾を巻き上げて外気を導入する。（図は省略しているが、左右の被覆フィルムの裾も巻き上げるとさらに良い）
【００２４】
図２は、本発明の一実施例のビニールハウス秋春季における機構説明図である。
秋や春先の冷寒期には、ビニールハウスＡ後方壁の近傍中央部に設けられた送風機１の吸引側を、図３に図示するように左右の送風管３・３に挿嵌された略Ｔ字型継手を手前に円弧状に回転させ、天井方向に向けて固定し、天井部分の暖気をハウスの下方に向けて吐出する。
【００２５】
図３は、本発明の一実施例のX-X矢視図である。
夏季と秋春季の送風機１吸引側の向きの切り替えを示したものであり、装置を支えるために一対の架台６・６を設け、左右水平方向の送風管３・３を架台６・６に固定している。
夏季間の使用に際しては、送風機１を下向きに設置して吸引口側を地面近傍まで立ち下げ、下部の低温空気を吸引してハウス長手側両下端に敷設した吐出管４・４に送り込み、複数個の開閉窓から一定方向に吐出し、導入した外気と相俟ってハウス内に冷気流（風）を形成する。
その際には、天井部の高温空気をハウス後壁面の換気扇から屋外に排出するのが望ましい。
【００２６】
秋や春先の使用に際しては、外気導入は止め、図示のように下向きの送風機１を左右の送風管３・３を介して回転させて吸引口側を上方へ向け、日中の太陽熱エネルギーのより得られた天井部の高温空気を吸引し、ハウス長手側両下端の吐出管４・４に送り込み、夏季と同じ動作・作用で今度は暖気流（風）を形成する。
【００２７】
図４は、本発明の一実施例のY部拡大図である。
ハウス長手側両下端に敷設された吐出管４・４の対向面には、複数個の略コの字型で開閉自在な調整窓５が一方向に向けて設けられており、長大な吐出管４・４の位置により異なる風圧に応じ、調整窓５の開閉度を決定し風圧調整をする。
ハウスの要所に設けたセンサーの数値を基に、近傍の調整窓５の開閉度を調整して作物に直接強風が当らないように、吹き出し口の位置決めをしてから吐出管４・４を固定する。
【００２８】
夏季間には、ハウス後面の被覆フィルムの裾を巻き上げて外気を導入し、ハウス下方の低温空気を送風機１で吸引して略Ｔ字型継手２に送り込み、送風管３・３を介してハウス長手側両下端に敷設した吐出管４・４に送風する。
吐出管４・４の対向面に設けられた複数個の略コの字型の調整窓５から、一方向（斜め前方）に向けて低温空気を吐出し、導入した外気と相俟って冷気流（風）を形成する。
【００２９】
また、密閉状態のビニールハウス内の空気移動を効率よく行うには、ハウス天井部の高温空気を排出することと、送風機１近傍と両下端の被覆フィルムの裾を巻き上げてハウス内に外気を導入することが望ましく、当該ハウスの天井部分に開閉式の換気窓等の換気設備がない場合には、ハウス後壁面に開閉式の換気扇を設けるようにする。  
【００３０】
秋や春先の冷寒期には、送風機１を装着した略Ｔ字型継手２を、左右の水平送風管３・３を介して手前に回転させ、送風機１の吸引口側をハウスの斜め上方に向け、固定してから使用する。
日中の太陽熱で得られた天井部の高温空気を、送風機１でハウスの長手側両下端の吐出管４・４に送り込み、吐出管４・４の対向する面の調整窓５から一方向（斜め前方）に向けて吐出して暖気流（風）を形成する。
その連続性を以てハウス内の温度を平準化し、従来よりもハウス稼働期間の延長が可能になる。
【００３１】
本発明は、上述のように夏季間営農農家向けに開発した装置であるが、現状ビニールハウスの長所と欠点とを勘案し、ロー・コストを以てハウス栽培農家の環境改善を目指したものである。
夏季には冷涼な空気の流れを創出し、秋や春先には自然の太陽熱エネルギーを利用した暖気流を創出し、作物にとってより快適な環境を提供することで生産物の歩留まりを高め、従来よりもハウスの稼働期間を延ばして収穫量を上げ、夏季間ハウス農家の収入増を目指すものである。
【産業上の利用可能性】
【００３２】
本発明は、主に夏季間のビニールハウス農家を対象にしたものであり、送風機１台で空気移動を促して空気の澱みを解消し、温度の平準化と同時に湿度のムラも低減する。
秋や春先の冷寒季には、自然の太陽熱エネルギーによるハウス天井部の暖気を下部に送風し、ハウス内温度の平準化させて温度を維持し、霜対策等・作物にとり好環境を創出し、維持することでハウスの稼働期間を延ばし、夏季間だけの営農農家の収益増加に貢献する発明である。
また、当該空調管理システムは大型簡易建築物や広大な面積の建築物等にも有効である。
【符号の説明】
【００３３】
１    送風機 
２    略Ｔ字型継手
３    送風管
４    吐出管
５    調整窓
６    架台
Ａ    ビニールハウス
B    被覆フィルム
Ｃ    換気扇
【要約】
【課題】  ビニールハウス内の空気移動を促して、空気の澱み解消と温度の平準化及び、湿度ムラを低減させ、夏・秋・春先にも対応できるハウス栽培空調管理システムを提供する。
【解決手段】  ビニールハウスＡ後方壁近傍の中央部に送風機１設け、吸引口側を地面近傍に立ち下げ、送風機１の吐出口側は略Ｔ字型継手２の下端口に接続し、略Ｔ字型継手２の水平方向の両端口を左右の送風管３・３に挿嵌するとともに、略Ｔ字型継手２を円弧状に回転自在に形設する。
左右の送風管３・３をビニールハウスＡ後方壁近傍に立ち下げ、ハウスの長手面両下端に敷設した吐出管４・４に接続し、吐出管４・４の対向面には適宜な間隔に、複数個の略コの字型で開閉自在な調整窓５が一方向に向けて設ける。
【選択図】  図１【図１】
0006667788.tif 000002
【図２】
0006667788.tif 000003
【図３】
0006667788.tif 000004
【図４】
0006667788.tif 000005